(57)【要約】【課題】車両に発生する所定の故障記録が上書き消去されることを防止することのできる車両故障記録装置及び車両故障記録方法を提供する。【解決手段】所定周期で収集された電気車の運転状況に関する信号を記録した状況記録メモリ６と、故障発生毎に取得される故障記録を保存するための格納エリアを有する故障記録メモリ７と、前記格納エリアのうち上書きを禁止する格納エリアと上書きを禁止する期間とを規定した禁止情報を保存する制御テーブル８と、前記禁止情報に基づいて上書き禁止されていない格納エリアを選択し、故障発生時を含む期間の前記信号を前記故障記録として前記故障記録メモリに記録し、前記故障が所定の故障であるときは、前記選択した格納エリアを所定期間上書き禁止とするための前記禁止情報を前記制御テーブルに記録する故障記録手段５とを備える車両故障記録装置１２である。【選択図】図１
2014133435.tif 000002
【特許請求の範囲】
【請求項１】
所定周期で収集された電気車の運転状況に関する信号を記録した状況記録メモリと、
故障発生毎に取得される故障記録を保存するための格納エリアを有する故障記録メモリと、
前記格納エリアのうち上書きを禁止する格納エリアと上書きを禁止する期間とを規定した禁止情報を保存する制御テーブルと、
前記禁止情報に基づいて上書き禁止されていない格納エリアを選択し、
故障発生時を含む期間の前記信号を前記故障記録として前記故障記録メモリに記録し、
前記故障が所定の故障であるときは、前記選択した格納エリアを所定期間上書き禁止とするための前記禁止情報を前記制御テーブルに記録する故障記録手段と
を備える車両故障記録装置。
【請求項２】
故障発生時から前記上書きを禁止する期間が経過した格納エリアを上書き禁止の対象から解除するように前記制御テーブルを更新する上書禁止解除手段を更に備える、請求項１に記載の車両故障記録装置。
【請求項３】
前記所定の故障は、所定の起点から最初に発生した故障である、請求項２に記載の車両故障記録装置。
【請求項４】
前記故障記録手段は、前記故障が所定の故障であるか否かを、前記故障の種類によって判断する、請求項２に記載の車両故障記録装置。
【請求項５】
前記故障記録手段は、前記故障が所定の故障であるときは、当該所定の故障について定められる上書禁止期間を前記制御テーブルに記録する、請求項４に記載の車両故障記録装置。
【請求項６】
前記上書禁止期間は、前記所定の故障の種類、電気車の運転状態、の少なくともいずれかに基づいて可変に設けられる、請求項５に記載の車両故障記録装置。
【請求項７】
所定周期で収集された電気車の運転状況に関する信号を記録した状況記録メモリと、
故障発生毎に取得される故障記録を保存するための格納エリアを有する故障記録メモリと、
前記格納エリアのうち上書きを禁止する格納エリアと上書きを禁止する期間とを規定した禁止情報を保存する制御テーブルと、を有する車両故障記録装置の車両故障記録方法であって、
前記禁止情報に基づいて上書き禁止されていない格納エリアを選択し、
故障発生時を含む期間の前記信号を前記故障記録として前記故障記録メモリに記録し、
前記故障が所定の故障であるときは、前記選択した格納エリアを所定期間上書き禁止とするための前記禁止情報を前記制御テーブルに記録すること
を備える車両故障記録方法。
【発明の詳細な説明】
【技術分野】
【０００１】
本発明の実施の形態は、鉄道列車などの電気車における車両故障状況を記録する技術に関する。
【背景技術】
【０００２】
鉄道列車などの車両の運転中に故障等の事象が発生した場合に、その事象発生時の状況把握及び原因解析を行うことは車両の安全な走行を確保する上で必要不可欠である。このため、車両には発生した故障の状況を収集する故障記録装置が搭載されている。
【０００３】
従来の故障記録装置では、例えば、車両の走行を制御する各装置の動作状態を示す信号を所定の間隔で収集しておき、故障が発生した時に故障発生信号をトリガとしてその前後のデータを故障記録情報として記憶装置に保存する。
【０００４】
このようにして記録された情報を活用することにより、列車に搭載された機器・設備の不具合を解析し、不具合の原因を追究することが可能となっている。
【先行技術文献】
【特許文献】
【０００５】
【特許文献１】特開２００８−１３１７９７号公報
【発明の概要】
【発明が解決しようとする課題】
【０００６】
ところで、収集されて記憶装置に保存される情報の量は膨大であるため、従来の故障記録装置では、故障記録を保存する記録エリアをサイクリック使用し、古い故障記録の上に新しい故障記録を上書きすることで、最新の故障記録を残すように構成されている。
【０００７】
このため、従来の故障記録装置では所望の故障記録が消去されるケースがあった。例えば、車両の起動開始後の初期段階において発生する故障記録を見たい場合であっても、営業運転されている状態では、車両の運行を止めて故障記録を採取することはできない為、運行終了後に故障記録を読出すことになる。従って、運転終了までに他の故障が複数発生した場合は、起動開始直後の故障記録がその後発生した故障記録により上書きされて消去されてしまうことがあった。
【０００８】
この発明は、上記のような課題を解決するためになされたもので、車両に発生する所定の故障記録が上書き消去されることを防止することのできる車両故障記録装置及び車両故障記録方法を提供することを目的とする。
【課題を解決するための手段】
【０００９】
上記課題を解決するための本発明の実施の形態によれば、所定周期で収集された電気車の運転状況に関する信号を記録した状況記録メモリと、故障発生毎に取得される故障記録を保存するための格納エリアを有する故障記録メモリと、前記格納エリアのうち上書きを禁止する格納エリアと上書きを禁止する期間とを規定した禁止情報を保存する制御テーブルと、前記禁止情報に基づいて上書き禁止されていない格納エリアを選択し、故障発生時を含む期間の前記信号を前記故障記録として前記故障記録メモリに記録し、前記故障が所定の故障であるときは、前記選択した格納エリアを所定期間上書き禁止とするための前記禁止情報を前記制御テーブルに記録する故障記録手段とを備える車両故障記録装置が提供される。
【図面の簡単な説明】
【００１０】
【図１】第１の実施の形態の車両故障記録装置を備えた運転状況収集システムの構成を示す図。
【図２】第１の実施の形態の車両故障記録装置に設けられた故障記録メモリの構成を示す図。
【図３】第１の実施の形態の車両故障記録装置に設けられた制御テーブルの内容を示す図。
【図４】第１の実施の形態の車両故障記録装置に設けられる上書禁止解除手段の処理手順を示すフロー図。
【図５】第１の実施の形態の車両故障記録装置に設けられる故障記録手段の処理手順を示すフロー図。
【図６】第２の実施の形態の車両故障記録装置に設けられた故障記録メモリの内容を示す図。
【図７】第２の実施の形態の車両故障記録装置に設けられた制御テーブルの内容を示す図。
【図８】第１の実施の形態の車両故障記録装置に設けられる上書禁止解除手段の処理手順を示すフロー図。
【図９】第２の実施の形態の車両故障記録装置に設けられる故障記録手段の処理手順を示すフロー図。
【図１０】第２の実施の形態の車両故障記録装置における上書き禁止を制御する方法を説明するための図。
【図１１】第３の実施の形態の車両故障記録装置に設けられた制御テーブルの内容を示す図。
【発明を実施するための形態】
【００１１】
[第１の実施の形態]  
図１は、第１の実施の形態の車両故障記録装置１２を備えた運転状況収集システムの構成を示す図である。
【００１２】
運転状況収集システムは、入力手段１、状態監視手段２、制御手段３、制御信号出力手段４、車両故障記録装置１２、及び外部装置１１を備えている。  
そして、車両故障記録装置１２には、故障記録手段５、状況記録メモリ６、故障記録メモリ７、制御テーブル８、上書禁止解除手段９、及び故障記録読出し手段１０が設けられている。
【００１３】
入力手段１は、列車の運転状況に関する信号（アナログ入力、デジタルステータス入力など）を読み込む。入力手段１が信号を読み込むサンプリング周期には、例えば、短周期、中周期、長周期の３種類が設けられている。インバータのゲート制御信号などは、短周期（１〜２ｍｓ）で読み込まれる。車両駆動モータの電流信号などは、中周期（１０〜２０ｍｓ）で読み込まれる。車両速度、架線電圧などは、長周期（１〜２ｓ）で読み込まれる。
【００１４】
状態監視手段２は、読み込んだ信号について上下限チェックなどを行って異常の有無を判断し、その結果を制御手段３に出力する。制御手段３は、制御信号出力手段４を介して該当する装置に対して所要の制御信号を出力する。
【００１５】
また、状態監視手段２は、読み込んだ信号を状況記録メモリ６に保存する。状況記録メモリ６は、信号が読み込まれる毎に記録されるバッファメモリである。更に、状態監視手段２は、読み込んだ信号から異常を検知した場合、あるいは不図示の外部から異常検知信号を受取ったときは、故障記録手段５に故障の発生を通知する。
【００１６】
故障記録手段５は、状態監視手段２から故障が発生したことを受信したときは、その故障の種類に対応して状況記録メモリ６に保存されたデータを抽出する。故障記録手段５は、例えば故障発生の前後の所定期間のデータを抽出する。そして、故障記録手段５は、制御テーブル８を参照しつつ、抽出したデータを故障記録メモリ７に保存する。また上書禁止解除手段９は、制御テーブル８の初期化を行う。故障記録手段５と上書禁止解除手段９の動作の詳細は後述する。
【００１７】
異常データ採取者（技術者、運転者など）は、例えば、１日の走行終了時において、外部装置（パーソナルコンピュータ、ＰＤＡなど）を車両故障記録装置１２に接続して当日の異常データを収集する。故障記録読出し手段１０は、外部装置１１からの求めに応じて故障記録メモリ７に保存されているデータを抽出して外部装置１１に提供する。
【００１８】
図２は、第１の実施の形態の車両故障記録装置１２に設けられた故障記録メモリ７の構成を示す図である。
【００１９】
故障記録メモリ７には、複数（ｎ個）の異常データを格納するための格納エリア１〜ｎが設けられている。それぞれの格納エリアのサイズは同一であり、１回の異常発生で収集されたデータは、一つの格納エリアに保存される。そして、格納エリアはサイクリックに使用され、最も古い格納エリアの故障記録の上に新しい故障記録が上書きされる。
【００２０】
図３は、第１の実施の形態の車両故障記録装置１２に設けられた制御テーブル８の内容を示す図である。
【００２１】
第１の実施の形態では、所定の起点から最初に発生した故障を所定の故障として上書き消去されることを禁止する方法を説明する。即ち、特定の一つの格納エリアが上書き消去されることを禁止する方法を説明する。
【００２２】
「上書き禁止有効・無効」は、上記最初の故障記録が上書き消去されることを禁止する動作を有効とするか無効とするかを指定する。「上書き禁止インデックス」は、上書きが禁止される格納エリアの番号（１〜ｎ）を表している。即ち、所定の起点から最初に発生した故障記録が保存されている格納エリアの番号（１〜ｎ）を表している。「発生日時」は、状態監視手段２が故障を検知した日時である。「最新インデックス」は、一番新しい故障記録が格納されている格納エリアの番号（１〜ｎ）を表している。
【００２３】
「上書き禁止期間」は、最初の故障記録が上書き消去されることを禁止する期間を表している。この期間は、時間、または日単位で表す。即ち、「発生日時」から「上書き禁止期間」を経過した後は、当該故障記録は上書き消去され得る。
【００２４】
図４は、第１の実施の形態の車両故障記録装置１２に設けられる上書禁止解除手段９の処理手順を示すフロー図である。上書禁止解除手段９は、所定周期で起動されて「上書き禁止期間」が経過したか否かを調べる。
【００２５】
ステップＳ０１において、上書禁止解除手段９は現在時刻を取得する。ステップＳ０２において、上書禁止解除手段９は、制御テーブル８の「発生日時」と現在時刻とから経過時間を算出する。ステップＳ０３において、上書禁止解除手段９は、算出した経過時間が「上書き禁止期間」よりも大きいかどうかを調べる。「上書き禁止期間」を超えていない場合（ステップＳ０３でＮＯ）は、本処理を終了する。
【００２６】
「上書き禁止期間」を超えている場合（ステップＳ０３でＹＥＳ）は、上書禁止動作を停止させる。即ち、制御テーブル８の「上書き禁止有効・無効」を無効とする。また、「上書き禁止インデックス」をクリアする。そして本処理を終了する。
【００２７】
図５は、第１の実施の形態の車両故障記録装置１２に設けられる故障記録手段５の処理手順を示すフロー図である。故障記録手段５は、故障発生時において、状態監視手段２により起動されて故障記録メモリ７に故障記録を保存する。
【００２８】
ステップＳ１１において、故障記録手段５は、制御テーブル８の「最新インデックス」に１を加算したアドレスを、故障記録を格納すべき故障記録メモリ７の格納エリアのアドレスとする。即ち、制御テーブル８の「最新インデックス」を、１を加算した値に更新する。ステップＳ１２において、故障記録手段５は、制御テーブル８の「上書き禁止有効・無効」を調べて、上書き禁止処理が有効になっているかどうかを判断する。
【００２９】
イニシャル状態では、図４で説明した上書禁止解除手段９の処理によって、「上書き禁止有効・無効」は無効となっている。従って、「上書き禁止有効・無効」が無効である場合は（ステップＳ１２でＮＯ）、今回の故障記録が、車両に発生した最初の故障記録であるため、この故障記録が上書き消去されることを禁止する処理を実行する。
【００３０】
ステップＳ１３において、故障記録手段５は、ステップＳ１１において更新された「最新インデックス」が制御テーブル８の最大格納エリア数（ｎ）を超えているかどうかを調べる。「最新インデックス」が制御テーブル８の最大格納エリア数（ｎ）を超えていないときは（ステップＳ１３でＮＯ）、ステップＳ１５の処理を実行する。「最新インデックス」が制御テーブル８の最大格納エリア数（ｎ）を超えているときは（ステップＳ１３でＹＥＳ）、ステップＳ１４において、故障記録手段５は、「最新インデックス」を１に設定し、今回の故障記録を格納する格納エリアのアドレスを１とする。
【００３１】
ステップＳ１５において、故障記録手段５は、制御テーブル８の「上書き禁止有効・無効」を有効に設定する。そして、故障記録手段５は、制御テーブル８の「上書き禁止インデックス」に「最新インデックス」の値を設定する。この処理によって、今回故障記録を書き込む格納エリアが上書き禁止エリアであることが設定される。ステップＳ２０において、故障記録手段５は、「最新インデックス」の示すアドレスの格納エリアに故障記録を格納する。そして、本処理を終了する。
【００３２】
「上書き禁止有効・無効」が有効である場合は（ステップＳ１２でＹＥＳ）、ステップＳ１６において、故障記録手段５は、制御テーブル８の「最新インデックス」が「上書き禁止インデックス」と一致するかどうかを調べる。即ち、故障記録を格納しようとする格納エリアが上書き禁止となっているかどうかを調べる。故障記録を格納しようとする格納エリアが上書き禁止となっていない場合は（ステップＳ１６でＮＯ）、ステップＳ１８の処理を実行する。故障記録を格納しようとする格納エリアが上書き禁止となっている場合は（ステップＳ１６でＹＥＳ）、ステップＳ１７において、「最新インデックス」に１を加算して、故障記録を格納しようとする格納エリアを次の格納エリアと設定する。
【００３３】
ステップＳ１８において、故障記録手段５は、「最新インデックス」が制御テーブル８の最大格納エリア数（ｎ）を超えているかどうかを調べる。「最新インデックス」が制御テーブル８の最大格納エリア数（ｎ）を超えていないときは（ステップＳ１８でＮＯ）、ステップＳ２０の処理を実行する。「最新インデックス」が制御テーブル８の最大格納エリア数（ｎ）を超えているときは（ステップＳ１８でＹＥＳ）、ステップＳ１９において、故障記録手段５は、「最新インデックス」を１に設定し、今回格納する格納エリアのアドレスを１とする。
【００３４】
ステップＳ２０において、故障記録手段５は、「最新インデックス」の示すアドレスの格納エリアに故障記録を格納する。そして、本処理を終了する。
【００３５】
以上説明した第１の実施の形態によれば、所定の起点からの車両に発生した最初の故障記録が上書き消去されることを禁止するとともに、その禁止処理を当該故障が発生した日時から所定の時間が経過するまで継続することができる。
【００３６】
[第２の実施の形態]  
第２の実施の形態では、所定の故障記録が故障記録メモリ７内に複数記録されている点が第１の実施の形態と異なっている。第１の実施の形態と同様の機能を備えた部位には同一の符号を付して、その詳細の説明は省略する。
【００３７】
図６は、第２の実施の形態の車両故障記録装置１２に設けられた故障記録メモリ７の内容を示す図である。
【００３８】
故障記録メモリ７には、複数（ｎ個）の異常データを格納するための格納エリア１〜ｎが設けられている。それぞれの格納エリアのサイズは同一であり、１回の異常発生で収集されたデータは、一つの格納エリアに保存される。そして、格納エリアはサイクリックに使用され、最も古い格納エリアの故障記録の上に新しい故障記録が上書きされる。第２の実施の形態では、複数の格納エリアに保存された故障記録が上書き禁止となっている。例えば、図６に示すように格納エリア２、格納エリアｊ、格納エリア（ｎー１）の３つの格納エリアが上書き禁止となっている。
【００３９】
図７は、第２の実施の形態の車両故障記録装置１２に設けられた制御テーブル１８の内容を示す図である。制御テーブル１８には、共通定義エリア１８ａと個別定義エリア１８ｂとが設けられている。共通定義エリア１８ａには、複数の故障記録に対して共通に適用される値が定義されている。個別定義エリア１８ｂには、複数の故障記録に対してそれぞれ個別に適用される値が定義されている。
【００４０】
共通定義エリア１８ａには、「上書き禁止最大数」、「上書き禁止数」、「最新インデックス」及び「上書き禁止期間」が設けられている。
【００４１】
「上書き禁止最大数」は、上書きを禁止する故障記録数の最大値である。「上書き禁止数」は、現在において上書きが禁止されている故障記録数を示している。
【００４２】
「最新インデックス」は、一番新しい故障記録が格納されている格納エリアの番号（１〜ｎ）を表している。「上書き禁止期間」は、故障記録が上書き消去されることを禁止する期間を表している。
【００４３】
個別定義エリア１８ｂには、「上書き禁止インデックス」及び「発生日時」がそれぞれの故障記録に対応して設けられている。なお、共通定義エリア内の情報は、前詰めされて格納される。
【００４４】
「上書き禁止インデックス」は、上書が禁止される格納エリアの番号（１〜ｎ）を表している。即ち、車両に発生した所定の故障記録が保存されている格納エリアの番号（１〜ｎ）を表している。「発生日時」は、状態監視手段２が故障を検知した日時である。
【００４５】
図８は、第１の実施の形態の車両故障記録装置１２に設けられる上書禁止解除手段９の処理手順を示すフロー図である。上書禁止解除手段９は、所定周期で起動されて「上書き禁止期間」が経過したか否かを調べる。
【００４６】
ステップＳ２１において、上書禁止解除手段９は現在時刻を取得する。ステップＳ２２において、上書禁止解除手段９は、制御テーブル８の共通定義エリア１８ａにある「上書き禁止数」を調べ、その数を処理ループ数の最大値とする。そして、ステップＳ２３〜ステップＳ２５の処理を繰り返して実行する。
【００４７】
ステップＳ２３において、上書禁止解除手段９は、制御テーブル８の「発生日時」と現在時刻とから経過時間を算出する。ステップＳ２４において、上書禁止解除手段９は、算出した経過時間が「上書き禁止期間」よりも大きいかどうかを調べる。「上書き禁止期間」を超えていない場合（ステップＳ２４でＮＯ）は、ステップＳ２３に戻って処理を実行する。「上書き禁止期間」を超えている場合（ステップＳ２４でＹＥＳ）は、この故障記録についての上書禁止動作を停止させる。即ち、制御テーブル８の「上書き禁止インデックス」、「発生日時」を消去する。そしてステップＳ２３に戻って処理を実行する。
【００４８】
ステップＳ２３〜ステップＳ２５の処理を「上書き禁止数」だけ処理した後、上書禁止解除手段９は、個別定義エリア１８ｂのデータを前詰めにする。従って、個別定義エリア１８ｂ内では、故障記録は発生時間順に保存されるため、故障記録の検索処理、保存処理の効率化を図ることができる。そして本処理を終了する。
【００４９】
図９は、第２の実施の形態の車両故障記録装置１２に設けられる故障記録手段５の処理手順を示すフロー図である。故障記録手段５は、故障発生時において、状態監視手段２により起動されて故障記録メモリ７に故障記録を保存する。
【００５０】
ステップＳ３１において、故障記録手段５は、制御テーブル８の「最新インデックス」に１を加算したアドレスを、故障記録を格納すべき故障記録メモリ７の格納エリアのアドレスとする。即ち、制御テーブル８の「最新インデックス」を、１を加算した値に更新する。
【００５１】
ステップＳ３２において、故障記録手段５は、制御テーブル８の共通定義エリア１８ａにある「上書き禁止数」を調べ、その数を処理ループ数の最大値とする。そして、ステップＳ３３〜ステップＳ３４の処理を繰り返して実行する。ここで、処理ループを構成するのは、上書き禁止の故障記録が連続して存在する場合に対応するためである。
【００５２】
ステップＳ３３において、「最新インデックス」の示す格納エリアが上書き禁止かどうかを「上書き禁止インデックス」を調べて判断する。「最新インデックス」の示す格納エリアが上書き禁止であった場合は（ステップＳ３３でＹＥＳ）、ステップＳ３４において、故障記録手段５は、制御テーブル８の「最新インデックス」に１を加算したアドレスを、故障記録を格納すべき故障記録メモリ７の格納エリアのアドレスとする。即ち、制御テーブル８の「最新インデックス」を、１を加算した値に更新する。
【００５３】
「最新インデックス」の示す格納エリアが上書き禁止でなかった場合は（ステップＳ３３でＮＯ）、ステップＳ３５において、今回の故障が上書き禁止に該当する故障かどうかを調べる。上書き禁止の対象となる故障かどうかは、別途の手段（不図示）によって取得されているものとする。今回の故障が上書き禁止に該当する故障である場合（ステップＳ３５でＹＥＳ）、ステップＳ３６において、今回の故障記録によって「上書き禁止最大数」を超えることになるかどうかを調べる。即ち、制御テーブル８の「上書き禁止数」が「上書き禁止最大数」と等しいかどうかを調べる。
【００５４】
今回の故障記録によって「上書き禁止最大数」を超えることにならない場合（ステップＳ３６でＹＥＳ）は、ステップＳ３７において、制御テーブル８の「上書き禁止数」に１を加算する。この更新された「上書き禁止数」をＫとする。ステップＳ３８において、制御テーブル８の「上書き禁止インデックスＫ」に「最新インデックス」の値を記録する。そして、「発生日時Ｋ」に状態監視手段２が故障を検知した日時を記録する。ステップＳ３９において、故障記録手段５は、「最新インデックス」の示すアドレスの格納エリアに故障記録を格納する。そして、本処理を終了する。
【００５５】
今回の故障記録によって「上書き禁止最大数」を超えることになる場合（ステップＳ３６でＮＯ）は、故障記録手段５は、「最新インデックス」の示すアドレスの格納エリアに故障記録を格納する。そして、本処理を終了する。
【００５６】
今回の故障が上書き禁止に該当する故障でない場合（ステップＳ３５でＮＯ）、故障記録手段５は、「最新インデックス」の示すアドレスの格納エリアに故障記録を格納する。そして、本処理を終了する。
【００５７】
以上説明した第２の実施の形態によれば、車両に発生した複数の所定の故障記録が上書き消去されることを禁止するとともに、その禁止処理を当該故障が発生した日時から所定の時間が経過するまで継続することができる。
【００５８】
[第３の実施の形態]  
第３の実施の形態では、故障の種類、車両の運転状態によって上書きの可否と上書き禁止期間を可変とする点が第２の実施の形態と異なっている。第２の実施の形態と同様の機能を備えた部位には同一の符号を付して、その詳細の説明は省略する。
【００５９】
図１０は、第２の実施の形態の車両故障記録装置１２における上書き禁止を制御する方法を説明するための図である。
【００６０】
図１０には、故障の種類によって、上書き禁止を行うか否か、及び上書き禁止を行う場合の上書き禁止期間を示している。例えば、ゲート出力異常が発生した場合は、そのときの故障記録は上書き禁止とし、上書き禁止期間は７２時間（Ｈｏｕｒ）であることが示されている。一方、伝送異常が発生した場合は、そのときの故障記録は上書き禁止を行わないことが示されている。
【００６１】
また、図１０に示した内容に加えて、運転状態（例えば、低速走行中、高速走行中など）に対応して、上書き禁止を行うか否か、及び上書き禁止を行う場合の上書き禁止期間を規定しても良い。
【００６２】
図１１は、第３の実施の形態の車両故障記録装置１２に設けられた制御テーブル２８の内容を示す図である。第２の実施の形態と異なり、制御テーブル２８の共通定義エリア１８ａには、「上書き禁止期間」が設けられておらず、制御テーブル２８の個別定義エリア１８ｂには、「上書き禁止インデックス」及び「発生日時」に加えて、新たに「上書き禁止期間」がそれぞれの故障記録に対応して設けられている。
【００６３】
続いて、図８を参照しつつ、第３の実施の形態の車両故障記録装置１２に設けられる上書禁止解除手段９の処理手順を説明する。ステップＳ２１〜ステップＳ２２までは、第２の実施の形態と同様である。ステップＳ２３において、上書禁止解除手段９は、制御テーブル８の「発生日時」と現在時刻とから経過時間を算出する。ステップＳ２４において、上書禁止解除手段９は、算出した経過時間が「上書き禁止期間」よりも大きいかどうかを調べる。ここで「上書き禁止期間」は、故障記録ごとに定められている値を用いる。
【００６４】
「上書き禁止期間」を超えている場合（ステップＳ２４でＹＥＳ）は、この故障記録についての上書き禁止動作を停止させる。即ち、制御テーブル８の「上書き禁止インデックス」、「発生日時」、及び「上書き禁止期間」を消去する。
【００６５】
図９を参照しつつ、第３の実施の形態の車両故障記録装置１２に設けられる故障記録手段５の処理手順を説明する。ステップＳ３１〜ステップＳ３４までは、第２の実施の形態と同様である。ステップＳ３５において、故障記録手段５は、今回の故障が上書き禁止に該当する故障か否かを判断する。ここで、故障記録手段５は、今回発生した故障の種類を状態監視手段２から受信し、その故障の種類に基づいて上述の判断を行う。
【００６６】
ステップＳ３６〜ステップＳ３７までは、第２の実施の形態と同様である。ステップＳ３８において、制御テーブル８の「上書き禁止インデックスＫ」に「最新インデックス」の値を記録する。そして、「発生日時Ｋ」に状態監視手段２が故障を検知した日時を記録する。更に、「上書き禁止期間Ｋ」に当該故障について定められた上書き禁止期間を記録する。ステップＳ３９において、故障記録手段５は、「最新インデックス」の示すアドレスの格納エリアに故障記録を格納する。そして、本処理を終了する。
【００６７】
以上説明した第３の実施の形態によれば、車両に発生した複数の所定の故障記録が上書き消去されることを禁止するとともに、その禁止処理を当該故障が発生した日時から故障種類ごとに定められる所定の時間が経過するまで継続することができる。
【００６８】
なお、上述の第２及び第３の実施の形態は、所定の起点からの車両に発生した最初の故障記録に限られず、任意のタイミングで発生した所定の条件を満たす故障記録を上書き禁止とする際にも適用できることは明らかである。
【００６９】
なお、上述の各実施の形態で説明した機能は、ハードウェアを用いて構成するに留まらず、ソフトウェアを用いて各機能を記載したプログラムをコンピュータに読み込ませて実現することもできる。また、各機能は、適宜ソフトウェア、ハードウェアのいずれかを選択して構成するものであっても良い。
【００７０】
尚、本発明は、上記実施形態そのままに限定されるものではなく、実施段階ではその要旨を逸脱しない範囲で構成要素を変形して具体化できる。  
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７１】
１…入力手段、２…状態監視手段、３…制御手段、４…制御信号出力手段、５…故障記録手段、６…状況記録メモリ、７…故障記録メモリ、８…制御テーブル、９…上書禁止解除手段、１０…故障記録読出し手段、１１…外部装置、１２…車両故障記録装置、１８…制御テーブル、１８ａ…共通定義エリア、１８ｂ…個別定義エリア、２８…制御テーブル。
【図１】
2014133435.tif 000003
【図２】
2014133435.tif 000004
【図３】
2014133435.tif 000005
【図４】
2014133435.tif 000006
【図５】
2014133435.tif 000007
【図６】
2014133435.tif 000008
【図７】
2014133435.tif 000009
【図８】
2014133435.tif 000010
【図９】
2014133435.tif 000011
【図１０】
2014133435.tif 000012
【図１１】
2014133435.tif 000013